【手続補正書】
【提出日】平成23年9月9日(2011.9.9)
【手続補正１】
【補正対象書類名】特許請求の範囲
【補正対象項目名】全文
【補正方法】変更
【補正の内容】
【特許請求の範囲】
【請求項１】
移動端末から発信された緊急通報に基づいて、当該緊急通報が発信されたエリアに関する情報を提供する緊急エリア提示装置であって、
前記移動端末から送信された、当該移動端末を識別する識別情報と当該移動端末の現在地情報とを含む緊急通報情報を受信する受信手段と、
前記受信手段により受信された前記緊急通報情報が含む前記識別情報に基づいて、前記移動端末のそれぞれについて当該緊急通報情報を送信した送信回数を計算する計算手段と、
前記計算手段により計算された前記送信回数が所定回数以上である前記移動端末から送信された前記緊急通報情報が含む前記現在地情報を除いた残りの前記現在地情報に基づいて、複数の所定エリアのそれぞれにおける前記緊急通報情報の送信頻度を示す緊急エリア情報を生成する生成手段と、
前記生成手段により生成された前記緊急エリア情報を表示する表示手段と、
を備え、
前記緊急通報情報は、当該緊急通報情報の送信が行なわれた時刻を示す時刻情報を含み、
前記生成手段は、前記受信手段により受信された前記緊急通報情報が含む前記時刻情報及び前記識別情報に基づいて、同一の所定時間帯における互いに異なる当該識別情報により識別される前記移動端末の個数が多くなる程、当該同一の所定時間帯における当該移動端末から送信された当該緊急通報情報の送信頻度に加算する加算数を少なくする重み付けを行って前記緊急エリア情報を生成することを特徴とする緊急エリア提示装置。
【請求項２】
前記生成手段は、前記受信手段により受信された前記緊急通報情報が含む前記現在地情報及び前記時刻情報に基づいて、前記複数の所定エリアのそれぞれにおける前記緊急通報情報の送信頻度を、複数の所定時間帯のそれぞれについて示す緊急エリア情報を生成する、
ことを特徴とする請求項１に記載の緊急エリア提示装置。
【請求項３】
移動端末から発信された緊急通報に基づいて、当該緊急通報が発信されたエリアに関する情報を提供する緊急エリア提示装置が行なう緊急エリア提示方法であって、
前記移動端末から送信された、当該移動端末を識別する識別情報と当該移動端末の現在地情報とを含む緊急通報情報を前記緊急エリア提示装置が受信する受信ステップと、
前記受信ステップで受信された前記緊急通報情報が含む前記識別情報に基づいて、前記移動端末のそれぞれについて当該緊急通報情報を送信した送信回数を計算する計算ステップと、
前記計算ステップで計算された前記送信回数が所定回数以上である前記移動端末から送信された前記緊急通報情報が含む前記現在地情報を除いた残りの前記現在地情報に基づいて、複数の所定エリアのそれぞれにおける前記緊急通報情報の送信頻度を示す緊急エリア情報を前記緊急エリア提示装置が生成する生成ステップと、
前記生成ステップで生成された前記緊急エリア情報を前記緊急エリア提示装置が表示する表示ステップと、
を有し、
前記緊急通報情報は、当該緊急通報情報の送信が行なわれた時刻を示す時刻情報を含み、
前記生成ステップでは、前記受信ステップで受信された前記緊急通報情報が含む前記時刻情報及び前記識別情報に基づいて、同一の所定時間帯における互いに異なる当該識別情報により識別される前記移動端末の個数が多くなる程、当該同一の所定時間帯における当該移動端末から送信された当該緊急通報情報の送信頻度に加算する加算数を少なくする重み付けを行って前記緊急エリア情報を生成することを特徴とする緊急エリア提示方法。
【手続補正２】
【補正対象書類名】明細書
【補正対象項目名】０００７
【補正方法】変更
【補正の内容】
【０００７】
即ち、本発明に係る緊急エリア提示装置は、移動端末から発信された緊急通報に基づいて、当該緊急通報が発信されたエリアに関する情報を提供する緊急エリア提示装置であって、移動端末から送信された、当該移動端末を識別する識別情報と当該移動端末の現在地情報とを含む緊急通報情報を受信する受信手段と、受信手段により受信された緊急通報情報が含む識別情報に基づいて、移動端末のそれぞれについて当該緊急通報情報を送信した送信回数を計算する計算手段と、計算手段により計算された送信回数が所定回数以上である移動端末から送信された緊急通報情報が含む現在地情報を除いた残りの現在地情報に基づいて、複数の所定エリアのそれぞれにおける緊急通報情報の送信頻度を示す緊急エリア情報を生成する生成手段と、生成手段により生成された緊急エリア情報を表示する表示手段と、を備え、緊急通報情報は、当該緊急通報情報の送信が行なわれた時刻を示す時刻情報を含み、生成手段は、受信手段により受信された緊急通報情報が含む時刻情報及び識別情報に基づいて、同一の所定時間帯における互いに異なる当該識別情報により識別される移動端末の個数が多くなる程、当該同一の所定時間帯における当該移動端末から送信された当該緊急通報情報の送信頻度に加算する加算数を少なくする重み付けを行って緊急エリア情報を生成することを特徴とする。
【手続補正３】
【補正対象書類名】明細書
【補正対象項目名】０００８
【補正方法】変更
【補正の内容】
【０００８】
本発明に係る緊急エリア提示装置は、まず、移動端末から送信された緊急通報情報を受信し、この緊急通報情報が含む現在地情報に基づいて、複数の所定エリアのそれぞれにおける緊急通報情報の送信頻度を示す緊急エリア情報を生成する。そして、緊急エリア提示装置は、この緊急エリア情報を表示する。このため、緊急通報情報の送信といった移動端末の通信履歴に基づいた、緊急通報の発信頻度を地域としての所定エリアごとに示す情報である緊急エリア情報の提供が可能になる。また、この構成により、緊急エリア提示装置は、緊急通報情報が含む識別情報に基づいて、移動端末のそれぞれについて当該緊急通報情報を送信した送信回数を計算し、この送信回数が所定回数以上である移動端末から送信された緊急通報情報が含む現在地情報を除いた残りの現在地情報に基づいて、緊急エリア情報を生成する。このように、緊急通報情報の送信回数が所定回数以上である移動端末から送信された緊急通報情報を除くことによって、例えば送信回数が比較的多いいたずら目的の移動端末から送信された緊急通報情報を除外することができる。この結果、より精度が高められて生成された緊急エリア情報の提供が可能になる。また、この構成により、緊急エリア提示装置は、緊急通報情報が含む時刻情報及び識別情報に基づいて、同一の所定時間帯における互いに異なる当該識別情報により識別される移動端末の個数が多くなる程、当該同一の所定時間帯における当該移動端末から送信された当該緊急通報情報の送信頻度に加算する加算数を少なくする重み付けを行って緊急エリア情報を生成する。このように、同一の所定時間帯における移動端末の個数が多くなる程、当該移動端末から送信された当該緊急通報情報の送信頻度に加算する加算数を少なくする重み付けを行なうことによって、同一の緊急事態に関する複数の緊急通報による送信頻度の増加を防ぐことができる。この結果、より精度が高められて生成された緊急エリア情報の提供が可能になる。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】変更
【補正の内容】
【００１５】
また、本発明に係る緊急エリア提示方法は、移動端末から発信された緊急通報に基づいて、当該緊急通報が発信されたエリアに関する情報を提供する緊急エリア提示装置が行なう緊急エリア提示方法であって、移動端末から送信された、当該移動端末を識別する識別情報と当該移動端末の現在地情報とを含む緊急通報情報を緊急エリア提示装置が受信する受信ステップと、受信ステップで受信された緊急通報情報が含む識別情報に基づいて、移動端末のそれぞれについて当該緊急通報情報を送信した送信回数を計算する計算ステップと、計算ステップで計算された送信回数が所定回数以上である移動端末から送信された緊急通報情報が含む現在地情報を除いた残りの現在地情報に基づいて、複数の所定エリアのそれぞれにおける緊急通報情報の送信頻度を示す緊急エリア情報を緊急エリア提示装置が生成する生成ステップと、生成ステップで生成された緊急エリア情報を緊急エリア提示装置が表示する表示ステップと、を有し、緊急通報情報は、当該緊急通報情報の送信が行なわれた時刻を示す時刻情報を含み、生成ステップでは、受信ステップで受信された緊急通報情報が含む時刻情報及び識別情報に基づいて、同一の所定時間帯における互いに異なる当該識別情報により識別される移動端末の個数が多くなる程、当該同一の所定時間帯における当該移動端末から送信された当該緊急通報情報の送信頻度に加算する加算数を少なくする重み付けを行って緊急エリア情報を生成することを特徴とする。
【手続補正９】
【補正対象書類名】明細書
【補正対象項目名】００１６
【補正方法】変更
【補正の内容】
【００１６】
本発明に係る緊急エリア提示方法では、まず、移動端末から送信された緊急通報情報を受信し、この緊急通報情報が含む現在地情報に基づいて、複数の所定エリアのそれぞれにおける緊急通報情報の送信頻度を示す緊急エリア情報を生成する。そして、緊急エリア提示装置は、この緊急エリア情報を表示する。このため、緊急通報情報の送信といった移動端末の通信履歴に基づいた、緊急通報の発信頻度を地域としての所定エリアごとに示す情報である緊急エリア情報の提供が可能になる。また、この構成により、緊急エリア提示装置は、緊急通報情報が含む識別情報に基づいて、移動端末のそれぞれについて当該緊急通報情報を送信した送信回数を計算し、この送信回数が所定回数以上である移動端末から送信された緊急通報情報が含む現在地情報を除いた残りの現在地情報に基づいて、緊急エリア情報を生成する。このように、緊急通報情報の送信回数が所定回数以上である移動端末から送信された緊急通報情報を除くことによって、例えば送信回数が比較的多いいたずら目的の移動端末から送信された緊急通報情報を除外することができる。この結果、より精度が高められて生成された緊急エリア情報の提供が可能になる。また、この構成により、緊急エリア提示装置は、緊急通報情報が含む時刻情報及び識別情報に基づいて、同一の所定時間帯における互いに異なる当該識別情報により識別される移動端末の個数が多くなる程、当該同一の所定時間帯における当該移動端末から送信された当該緊急通報情報の送信頻度に加算する加算数を少なくする重み付けを行って緊急エリア情報を生成する。このように、同一の所定時間帯における移動端末の個数が多くなる程、当該移動端末から送信された当該緊急通報情報の送信頻度に加算する加算数を少なくする重み付けを行なうことによって、同一の緊急事態に関する複数の緊急通報による送信頻度の増加を防ぐことができる。この結果、より精度が高められて生成された緊急エリア情報の提供が可能になる。